(57)【要約】      （修正有）【課題】取り込んだライブ映像を、万華鏡の映像に変換し、テレビモニターに映し出す万華鏡映像生成プログラムを提供する。【解決手段】万華鏡映像生成プログラムは、動画の映像データを取り込む映像枠に関連付け、映像枠と一緒に移動、回転、反転、拡大、縮小、コピー、カットなどの編集加工が可能な最小単位の形状を原映像枠とし、原映像枠の一つの線分を対称軸として反転した映像枠を反転映像枠とし、複数の原映像枠と反転映像枠を、映像の反射の原理かつ万華鏡ミラー構成により特定される万華鏡模様のパターンに合わせ、モニター画面のサイズの数倍の作業フィールドの上にモザイクに並べ、反射次数が高くなる部分は順次上から重ね、相対位置関係を固定し、表裏反転し、重なって見えない反射次数の高い映像枠を廃棄し、この映像枠群に動画の映像データを取り込み、適宜に拡大、縮小、移動、回転させ、その他フィルターを掛けて映像効果を与える構成とする。【選択図】図１０
2014035766.tif 000002
【特許請求の範囲】
【請求項１】
モニターに映る動画の映像データを取り込むことができる映像枠であって、取り込んだ映像データを映像枠に関連付け、映像枠と一緒に移動、回転、反転、拡大、縮小、コピー、カットなどの編集加工が可能であり、万華鏡映像を構成する最小単位の映像の形状を持った映像枠であって、これを原映像枠とし、この原映像枠の一つの線分を対称軸として反転した映像枠を反転映像枠とし、コピーした複数の原映像枠と反転映像枠を、映像の反射の原理に基づいて、かつ万華鏡ミラー構成により特定される万華鏡模様のパターンに合わせ、モニター画面のサイズの数倍の大きさの作業フィールドの上にモザイクのように並べ、反射次数が高くなって重なる部分は順次上から重ね、作業フィールドに対する相対位置関係を固定し、これを表裏反転し、重なって下に隠れ表から見えない反射次数の高い映像枠を廃棄し、この映像枠群による万華鏡映像のパターンをテレビモニターの画面に映し出し、これに動画の映像データを取り込み、適宜に拡大、縮小、移動、回転させ、その他フィルターを掛けて映像効果を与えることにより、様々な万華鏡映像を作り出すことを特徴とする万華鏡映像生成プログラム。
【請求項２】
モニターに映る動画の映像データを取り込むことができる映像枠であって、取り込んだ映像データを映像枠に関連付け、映像枠と一緒に移動、回転、反転、拡大、縮小、コピー、カットなどの編集加工が可能であり、映像枠の形状が、挟角θ３６０°／２ｐ（ｐ＝ポイント数）の二等辺三角形ｏａｂ（ｏは挟角）であって、これを原映像枠とし、この原映像枠の一辺ｏａを対称軸として反転した映像枠を反転映像枠とし、上記原映像枠をコピーし、複数の原映像枠（２ｎ＋１）を作り、２ｎθ（ｎ＝整数＜ｐ）回転させる。また、反転映像枠をコピーし、複数の反転映像枠（２ｎ）を作り、２ｎθ（ｎ＝整数＜ｐ）回転させる。上記の過程で得られた２ｐ個の映像枠の共通の頂点Ｏを一致させて重ね合わせた円盤状の映像枠群を映像枠群Ａとする。この映像枠群Ａをモニター画面のサイズの数倍の大きさの作業フィールドの上にモザイクのように並べ、相対位置関係を固定し、この映像枠群Ａによる万華鏡映像のパターンをテレビモニターの画面の背景画面の上層に映し出し、これに動画の映像データを取り込み、適宜に拡大、縮小、移動、回転させ、その他フィルターを掛けて映像効果を与えることにより、円盤状のｐポイント２ミラーの様々な万華鏡映像を作り出すことを特徴とする請求項１記載の万華鏡映像生成プログラム。
【請求項３】
さらに、作業フィールドの中央に並べた円盤状の映像枠群Ａを１次映像とし、その映像枠群Ａの周囲に、映像枠群Ａをコピーした２ｐ個の複数の映像枠群Ａを、１次映像の中心から半径２×ｏａ×ｃｏｓ（θ／２）の円周上にあり、それぞれｎθ（ｎ＝整数＜ｐ）回転し、辺ａｂを共有して映像枠群Ａと接するように並べた映像枠群を映像枠群Ｂとし、２次映像とする。さらに、映像枠群Ｂを構成する映像枠群Ａの一つ一つの周囲に、映像群Ａをコピーした２ｐ×２ｐ個の複数の映像枠群Ａを、映像枠群Ｂを構成する映像枠群Ａの中心から半径２×ｏａ×ｃｏｓ（θ／２）の円周上にあり、それぞれｎθ（ｎ＝整数＜ｐ）回転し、辺ａｂを共有して映像枠群Ａと接するように並べた映像枠群を映像枠群Ｃとし、３次映像とする。
以下、同様の作業を繰り返すことにより、１次映像を中心にｍ次映像へと無限に広がっていく。作業フィールドの上にモザイク状に並べられ、反射次数が高くなって重なる部分は順次上から重ね、作業フィールドに対する相対位置関係を固定し、これを表裏反転し、重なって下に隠れ表から見えない反射次数の高い映像枠を廃棄し、この映像枠群による万華鏡映像のパターンをテレビモニターの画面に映し出し、これに動画の映像データを取り込み、適宜に拡大、縮小、移動、回転させ、その他フィルターを掛けて映像効果を与えることにより、Ｐポイント３ミラーの様々な万華鏡映像を作り出すことを特徴とする請求項１および請求項２記載の万華鏡映像生成プログラム。
【請求項４】
モニターに映る動画の映像データを取り込むことができる映像枠であって、取り込んだ映像データを映像枠に関連付け、映像枠と一緒に移動、回転、反転、拡大、縮小、コピー、カットなどの編集加工が可能であり、映像枠の形状が、矩形であって、これを原映像枠とし、この原映像枠の一辺ａｂを対称軸として反転した映像枠を反転映像枠とし、コピーした複数の原映像枠と反転映像枠を、映像の反射の原理に基づいて、かつミラー構成により特定される映像のパターンに合わせ、モニター画面のサイズの数倍の大きさの作業フィールドの上にストリップ状に交互に並べ、相対位置関係を固定し、この映像枠群による万華鏡映像のパターンをテレビモニターの画面の背景画面の上層に映し出し、これに動画の映像データを取り込み、適宜に拡大、縮小、移動、回転させ、その他フィルターを掛けて映像効果を与えることにより、４角２ミラーの様々な万華鏡映像を作り出すことを特徴とする請求項１記載の万華鏡映像生成プログラム。
【請求項５】
さらに、作業フィールドの中央に並べたストリップ状の映像枠群を１次映像とし、反転した映像枠群を２次映像とし、１次映像と２次映像を交互に並べ、相対位置関係を固定し、この映像枠群による万華鏡映像のパターンをテレビモニターの画面の背景画面の上層に映し出し、これに動画の映像データを取り込み、適宜に拡大、縮小、移動、回転させ、その他フィルターを掛けて映像効果を与えることにより、４角４ミラーの様々な万華鏡映像を作り出すことを特徴とする請求項１および請求項４記載の万華鏡映像生成プログラム。
【発明の詳細な説明】
【技術分野】
【０００１】  本発明は万華鏡の映像を、万華鏡ミラーに依存せず、ソフト上で構成する万華鏡映像生成プログラムに関する。
【背景技術】
【０００２】  従来、万華鏡の映像をミラーによらず映像生成ソフトを用いて再現しようと試みられてきた。簡略なパターンであれば、静止画の世界では、広く出回っている。【０００３】  しかし、万華鏡の映像は２〜３枚のミラーの反射で構成されている単純なものであるにもかかわらず、多次元の映像が輻輳しており、理論的に展開するのは可能だが、現実的ではない。
一方、万華鏡の映像をテレビモニターで鑑賞するには映像の緻密さが求められろ。特に４０インチを超える大型画面では、フルハイビジョンの映像品質が求められ、ライブ映像を扱う万華鏡では膨大な映像データのリアルタイムの処理が求められる。
【発明の開示】
【発明が解決しようとする課題】
【０００４】  本発明は以上のような従来の万華鏡映像生成プログラムの問題点に鑑み、現実的な万華鏡映像を生成するプログラムを提供するにある。【０００５】  本発明の前記ならびにそのほかの目的と新規な特徴は、次の説明を添付図面と照らし合わせて読むと、より完全に明らかになるであろう。
ただし、図面はもっぱら解説のためのものであって、本発明の技術的範囲を限定するものではない。
なお、映像枠には取り込んだ映像の模様が記載されているが、これは反転を繰り返す複雑な映像枠群の構成をわかりやすくし、万華鏡模様の成り立ちを知るのに有益と考えたものである。
【課題を解決するための手段】
【０００６】  上記目的を達成するために、本発明はモニターに映る動画の映像データを取り込むことができる映像枠であって、取り込んだ映像データを映像枠に関連付け、映像枠と一緒に移動、回転、反転、拡大、縮小、コピー、カットなどの編集加工が可能であり、万華鏡映像を構成する最小単位の映像の形状を持った映像枠であって、これを原映像枠とし、この原映像枠の一つの線分を対称軸として反転した映像枠を反転映像枠とし、コピーした複数の原映像枠と反転映像枠を、映像の反射の原理に基づいて、かつ万華鏡ミラー構成により特定される万華鏡模様のパターンに合わせ、モニター画面のサイズの数倍の大きさの作業フィールドの上にモザイクのように並べ、反射次数が高くなって重なる部分は順次上から重ね、作業フィールドに対する相対位置関係を固定し、これを表裏反転し、重なって下に隠れ表から見えない反射次数の高い映像枠を廃棄し、この映像枠群による万華鏡映像のパターンをテレビモニターの画面に映し出し、これに動画の映像データを取り込み、適宜に拡大、縮小、移動、回転させ、その他フィルターを掛けて映像効果を与えることにより、様々な万華鏡映像を作り出す万華鏡映像生成プログラムを構成している。
【発明の効果】
【０００７】  以上の説明から明らかなように、本発明にあっては次に列挙する効果が得られる。【０００８】  様々な万華鏡の模様のパターンを予め用意し、これに映像を取り込むことにより、膨大なライブ映像データのリアルタイムでの処理が可能となる。【０００９】  映像が万華鏡ミラーに依存しないので、ミラーの構成に由来する映像のヒズミや合わせ目のスジ、経年劣化による映像品質の低下などが払拭される。【００１０】  万華鏡の正確な映像は、ミラーの合わせ目で得られる。しかし、現実にはミラーの合わせ目に近い場所から覗くことになり、視差に基づく映像のヒズミが避けられない。本発明によれば、視差に基づく映像のヒズミが無くなり、正確な万華鏡映像が得られる。【００１１】  万華鏡映像は、ミラーの種類毎に映像の見え方が異なる。ミラーを使用した万華鏡は、ミラーの種類毎に交換しなければならない。本発明によれば、万華鏡映像生成プログラムを切り替えるだけで、見え方が異なる映像に切り替えることができる。【００１２】  ミラーを使用した万華鏡は、見える映像のパターンは一定である。本発明によれば、万華鏡映像生成プログラムを操作するだけで、ズーム、回転、その他さまざまな映像効果を与えるフィルターが使用可能であり、球面やさざ波など、通常のミラーの組み合わせではこれまで実現できなかったような映像を自由に作り出すことができる。【００１３】  ミラーを使用する万華鏡は、ミラーの制作に技術と労力がかかり、美しい映像を得るミラーの製作はマニアの世界で、普通の万華鏡ファンは出来合いの高価な商品を購入して楽しむものであった。本発明にあっては万華鏡映像生成プログラムの複製は容易で、誰もが、このプログラムを使用し、多種類の美しい万華鏡映像を自由に楽しむことができる。
これらのことから、万華鏡と言えば「子供のおもちゃ」、そして「一人で覗いて楽しむもの」「嗜好品」「昔懐かしい思い出」「幼稚」という従来の社会通念から解き放たれた、新しい万華鏡の世界が開ける。
【発明を実施するための最良の形態】
【００１４】  以下、図面に示す発明を実施するための最良の形態により、本発明を詳細に説明する。【００１５】  図１ないし図６に示す発明を実施するための最良の第１の実施の形態において、１はモニターの画面、２はモニターの画面に映っているビデオカメラもしくは映像記録装置から送られてきた映像である。
４はモニターに映る動画の映像データを取り込むことができる映像枠であって、取り込んだ映像データを映像枠に関連付け、映像枠と一緒に移動、回転、反転、拡大、縮小、コピー、カットなどの編集加工が可能であり、映像枠の形状が、挟角θ３６０°／２ｐ（ｐ＝ポイント数）の二等辺三角形ｏａｂ（ｏは挟角）であって、これを原映像枠とする。この原映像枠４の一辺ｏａを対称軸として反転した映像枠を反転映像枠５とする。原映像枠４および反転映像枠５に映っている模様６は、取り込んだモニターに映る動画の映像データである。
上記原映像枠をコピーし、複数の原映像枠（２ｎ＋１）を作り、２ｎθ（ｎ＝整数＜ｐ）回転させる。また、反転映像枠をコピーし、複数の反転映像枠（２ｎ）を作り、２ｎθ（ｎ＝整数＜ｐ）回転させる。上記の過程で得られた２ｐ個の映像枠の共通の頂点Ｏを一致させて重ね合わせた円盤状の映像枠群を映像枠群Ａとする。この映像枠群Ａをモニターの画面１のサイズの数倍の大きさの作業フィールド３の上にモザイクのように並べ、相対位置関係を固定し、この映像枠群Ａによる万華鏡映像のパターン７をテレビモニターの画面の背景画面８の上層に映し出し、これに動画の映像データを取り込み、適宜に拡大、縮小、移動、回転させ、その他フィルターを掛けて映像効果を与えることにより、円盤状のｐポイント２ミラーの様々な万華鏡映像７‘を作り出す。
図６は、モニターの画面１の背景８を黒くして５ポイント２ミラーの万華鏡映像を映し出した状況である。【００１６】  図７ないし図１０示す発明を実施するための最良の第２の実施の形態において、作業フィールド３の中央に並べた円盤状の映像枠群Ａ７を１次映像とし、その映像枠群Ａ７の周囲に、映像枠群Ａ７をコピーした２ｐ個の複数の映像枠群Ａを、１次映像の中心から半径２×ｏａ×ｃｏｓ（θ／２）の円周上にあり、それぞれｎθ（ｎ＝整数＜ｐ）回転し、辺ａｂを共有して映像枠群Ａ７と接するように並べた映像枠群を映像枠群Ｂ９とし、２次映像とする。さらに、映像枠群Ｂ９を構成する映像枠群Ａの一つ一つの周囲に、映像群Ａ７をコピーした２ｐ×２ｐ個の複数の映像枠群Ａを、映像枠群Ｂ９を構成する映像枠群Ａの中心から半径２×ｏａ×ｃｏｓ（θ／２）の円周上にあり、それぞれｎθ（ｎ＝整数＜ｐ）回転し、辺ａｂを共有して映像枠群Ａと接するように並べた映像枠群を映像枠群Ｃ１０とし、３次映像とする。
以下、同様の作業を繰り返すことにより、１次映像を中心にｍ次映像へと無限に広がっていく。作業フィールド３の上にモザイク状に並べられ、反射次数が高くなって重なる部分は順次上に重ね、作業フィールドに対する相対位置関係を固定し、これを表裏反転し、重なって下に隠れ表から見えない反射次数の高い映像枠を廃棄し、この映像枠群による万華鏡映像のパターン１１をテレビモニターの画面１に映し出し、これに動画の映像データを取り込み、適宜に拡大、縮小、移動、回転させ、その他フィルターを掛けて映像効果を与えることにより、Ｐポイント３ミラーの様々な万華鏡映像１１‘を作り出す。
図１０は、モニターの画面１に、５ポイント３ミラーの万華鏡映像を映し出した状況である。【００１７】  図１１ないし図１５示す発明を実施するための最良の第３の実施の形態において、モニター１に映る動画の映像データを取り込むことができる映像枠であって、取り込んだ映像データ１４を映像枠に関連付け、映像枠と一緒に移動、回転、反転、拡大、縮小、コピー、カットなどの編集加工が可能であり、映像枠の形状が、矩形であって、これを原映像枠１２とし、この原映像枠１２の一辺ａｂを対称軸として反転した映像枠を反転映像枠１３とする。
コピーした複数の原映像枠１２と反転映像枠１３を、映像の反射の原理に基づいて、かつミラー構成により特定される映像のパターンに合わせ、モニター画面１のサイズの数倍の大きさの作業フィールド３の上にストリップ状に交互に並べ、相対位置関係を固定し、この映像枠群による万華鏡映像のパターン１５をテレビモニターの画面１の背景画面８の上層に映し出し、これに動画の映像データ１４を取り込み、適宜に拡大、縮小、移動、回転させ、その他フィルターを掛けて映像効果を与えることにより、４角４ミラーの様々な万華鏡映像１５‘を作り出す。
図１５は、モニターの画面１の背景８を黒くして４角２ミラーの万華鏡映像を映し出した状況である。【００１８】  図１６ないし図１８示す発明を実施するための最良の第４の実施の形態において、作業フィールド３の中央に並べたストリップ状の映像枠群１５を１次映像とし、反転した映像枠群１６を２次映像とし、１次映像と２次映像を交互に並べ、相対位置関係を固定し、この映像枠群による万華鏡映像のパターン１７をテレビモニターの画面１の背景画面８の上層に映し出し、これに動画の映像データを取り込み、適宜に拡大、縮小、移動、回転させ、その他フィルターを掛けて映像効果を与えることにより、４角４ミラーの様々な万華鏡映像１７‘を作り出す。
図１８は、モニターの画面１に、４角４ミラーの様々な万華鏡映像１７‘を映し出した状況である。
【図面の簡単な説明】
【００１９】
【図１】モニターの画面に映像が映っている状態。
【図２】原映像枠。
【図３】原映像枠の辺ｏａを軸として反転した反転映像枠。
【図４】複数の原映像枠と反転した映像枠を円盤状に展開させた映像枠群Ａの複合パターン。
【図５】モニターの画面に、複合パターンＡを映した状態。
【図６】モニターの画面で、見やすく調整した複合パターンＡ。
【図７】映像枠群Ａの周囲に展開させた映像枠群Ｂ。
【図８】映像枠群Ａ〜映像枠群Ｃを重ね合わせた映像枠群の複合パターン。
【図９】モニターの画面に、複合パターンを映した状態。
【図１０】モニターの画面で、見やすく調整した複合パターン。
【図１１】原映像枠。
【図１２】原映像枠の辺ｏｂ，を軸として反転した反転映像枠。
【図１３】原映像枠と反転した映像枠を交互に並べてストリップ状に展開させた１次映像枠群のパターン。
【図１４】モニターの画面に、１次映像枠群のパターンを映した状態。
【図１５】モニターの画面で、見やすく調整した１次映像枠群のパターン。
【図１６】１次映像枠群のパターンを反射の原理に基づき次々に反転させて面として展開させた２次映像枠群〜６次映像枠群の複合パターン。
【図１７】モニターの画面に、複合パターンを映した状態。
【図１８】モニターの画面で、見やすく調整した複合パターン。
【符号の説明】
【００２０】１、モニターの画面  ２、ビデオカメラもしくは映像記録装置から送られてきた映像  ３、作業フィールド  ４、原映像枠  ５、反転映像枠  ６、映像枠に取り込まれた映像  ７、映像枠群Ａのパターン  ７‘、見やすく調整した映像枠群Ａのパターン  ８、モニターの地の色  ９、映像枠群Ｂのパターン  １０、映像枠群Ｃのパターン  １１、映像枠群Ａ〜Ｃまでの映像枠群を複合した映像枠群のパターン  １１’、見やすく調整した映像枠群のパターン  １２、原映像枠  １３、反転映像枠  １４、映像枠に取り込まれた映像  １５、ストリップ状に展開させた映像枠群のパターン  １５‘、見やすく調整した映像枠群のパターン  １６、１次映像枠群のパターンを反転させた２次映像枠群のパターン  １７、１次映像枠群と２次映像枠群のパターンを交互に配置し、面として展開させた複合パターン  １７‘、見やすく調整した複合パターン。
【図１】
2014035766.tif 000003
【図２】
2014035766.tif 000004
【図３】
2014035766.tif 000005
【図４】
2014035766.tif 000006
【図５】
2014035766.tif 000007
【図６】
2014035766.tif 000008
【図７】
2014035766.tif 000009
【図８】
2014035766.tif 000010
【図９】
2014035766.tif 000011
【図１０】
2014035766.tif 000012
【図１１】
2014035766.tif 000013
【図１２】
2014035766.tif 000014
【図１３】
2014035766.tif 000015
【図１４】
2014035766.tif 000016
【図１５】
2014035766.tif 000017
【図１６】
2014035766.tif 000018
【図１７】
2014035766.tif 000019
【図１８】
2014035766.tif 000020